(57)【要約】【課題】貸与する物品の管理を厳正に行うことのできる物品保管装置を提供する。【解決手段】施錠装置を備え、物品を収納する複数の収納庫と、各物品を識別するための物品情報と、物品を収納する収納庫とを対応付けて記憶した物品管理テーブルと、物品に付された記録媒体から物品情報を取得する物品情報取得部と、物品を収納庫に入庫する際に、物品情報取得部により物品情報が取得された場合、当該取得された物品情報と対応付けて物品管理テーブルに記憶されている収納庫の施錠装置を開錠制御する制御部とを有する物品保管装置とした。【選択図】        図２
2010112091.tif 000002
【特許請求の範囲】
【請求項１】
施錠装置を備え、物品を収納する複数の収納庫と、
各物品を識別するための物品情報と、前記物品を収納する前記収納庫とを対応付けて記憶した物品管理テーブルと、
前記物品に付された記録媒体から前記物品情報を取得する物品情報取得部と、
物品を前記収納庫に入庫する際に、前記物品情報取得部により前記物品情報が取得された場合、当該取得された物品情報と対応付けて前記物品管理テーブルに記憶されている収納庫の前記施錠装置を開錠制御する制御部と
を有することを特徴とする物品保管装置。
【請求項２】
当該物品保管装置の利用者を識別するための利用者情報を取得する利用者情報取得部と、
各前記収納庫と各前記収納庫を利用可能な利用者の前記利用者情報とを対応付けて記憶した利用者管理テーブルと、
前記利用者が前記物品を前記収納庫から出庫する際に、前記利用者情報取得部により前記利用者情報が取得された場合、当該取得された利用者情報に対応付けて前記利用者管理テーブルに記憶されている前記収納庫を前記利用者に選択させる選択部と
を有することを特徴とする請求項１に記載の物品保管装置。
【請求項３】
前記物品の入庫の際に、利用者に対して、前記物品情報取得部による前記物品情報の取得を促す報知を行う報知部を有することを特徴とする請求項１又は請求項２に記載の物品保管装置。
【請求項４】
前記物品の出庫の際に、前記利用者情報取得部により前記利用者情報が取得された場合、当該取得された利用者情報に対応付けて前記利用者管理テーブルに記憶されている前記収納庫の一覧を所定の表示部に表示制御する表示制御部を有することを特徴とする請求項２又は請求項３に記載の物品保管装置。
【請求項５】
前記収納庫から出庫された物品の返却期限と、当該物品の前記物品情報と、当該物品を出庫した利用者の前記利用者情報とを対応付けて記憶した期限管理テーブルと、
前記期限管理テーブルに記憶されている前記利用者情報に対応する利用者へ、当該利用者が出庫した物品の返却期限を所定の通信回線を用いて送信する返却期限情報送信部と
を有することを特徴とする請求項２〜４のいずれか１項に記載の物品保管装置。
【請求項６】
物品の出庫の予約を受付ける予約受付部と、
前記予約受付部により予約を受付けた予約物品が前記収納庫に存在するか否かを示す情報と、前記予約を行った利用者の前記利用者情報とを対応付けて記憶した予約管理テーブルと、
前記予約物品が前記収納庫に入庫された場合に、前記予約管理テーブルに記憶されている前記利用者情報に対応する利用者へ、前記予約物品が出庫可能な状態になったことを示す情報を所定の通信回線を用いて送信する入庫情報送信部と
を有することを特徴とする請求項２〜５のいずれか１項に記載の物品保管装置。
【請求項７】
各前記収納庫内の物品の種別を検知する検知部と、
前記検知部の検知結果に基づいて、前記収納庫内の物品の種別を判定する物品判定部と、
前記物品判定部により判定した物品の種別と、前記物品情報取得部により取得した前記物品情報に対応する物品の種別とが同一でなかった場合に、その旨を報知する報知部と
を有することを特徴とする請求項１〜６のいずれか１項に記載の物品保管装置。
【請求項８】
前記検知部は、物品の特徴として、前記物品の形状、重量、色彩のうち少なくとも一種類の特徴を検出するセンサを有することを特徴とする請求項７に記載の物品保管装置。
【発明の詳細な説明】
【技術分野】
【０００１】
本発明は、物品を保管する物品保管装置に関するものであり、特に、利用者の貸与する物品を保管する物品保管装置に関するものである。
【背景技術】
【０００２】
従来、利用者に貸与するための物品を収納した複数の収納庫を備えた物品保管装置と、各収納庫における物品の在庫管理や各収納庫の施錠及び開錠を行うデータセンターとを備えた物品のレンタルシステムが知られている（例えば、特許文献１参照。）。
【０００３】
このシステムでは、利用者が物品の貸与を受けようとする場合、利用者は物品保管装置の前で、自身の携帯端末によりデータセンターにアクセスして、利用者本人の認証を行い、その後、借り受けたい物品の識別番号をデータセンターへ送信する。そして、データセンターは、利用者から物品の識別番号を受信すると、その物品が収納されている収納庫を開錠して、物品を利用者に貸与可能とする。
【０００４】
一方、利用者が物品を返却する場合、利用者は、自身の携帯端末によりデータセンターにアクセスして、本人認証を行った後、データセンターから物品を返却する収納庫の識別番号の通知を受け、利用者は物品保管装置の前で、その識別番号をデータセンターへ送信する。
【０００５】
データセンターは、利用者から収納庫の識別番号を受信すると、その識別番号に対応した収納庫を開錠して、物品の返却を可能とする。そして、このシステムでは、利用者が物品を収納庫へ返却して扉を閉めると収納庫が施錠され物品の返却が完了するように構成されていた。
【０００６】
【特許文献１】特開２００３−１５７３９９号公報
【発明の開示】
【発明が解決しようとする課題】
【０００７】
しかしながら、上記従来のシステムでは、利用者が借り受けた物品と異なる物品を誤って収納庫へ返却して収納庫の扉を閉めた場合であっても、物品の返却が完了してしまうため、貸与する物品の管理を厳正に行えない恐れがあった。
【課題を解決するための手段】
【０００８】
そこで、本発明では、施錠装置を備え、物品を収納する複数の収納庫と、各物品を識別するための物品情報と、前記物品を収納する前記収納庫とを対応付けて記憶した物品管理テーブルと、前記物品に付された記録媒体から前記物品情報を取得する物品情報取得部と、物品を前記収納庫に入庫する際に、前記物品情報取得部により前記物品情報が取得された場合、当該取得された物品情報と対応付けて前記物品管理テーブルに記憶されている収納庫の前記施錠装置を開錠制御する制御部とを有する物品保管装置とした。
【０００９】
また、本発明に係る物品保管装置は、当該物品保管装置の利用者を識別するための利用者情報を取得する利用者情報取得部と、各前記収納庫と各前記収納庫を利用可能な利用者の前記利用者情報とを対応付けて記憶した利用者管理テーブルと、前記利用者が前記物品を前記収納庫から出庫する際に、前記利用者情報取得部により前記利用者情報が取得された場合、当該取得された利用者情報に対応付けて前記利用者管理テーブルに記憶されている前記収納庫を前記利用者に選択させる選択部とを有することを特徴とする。
【００１０】
また、本発明に係る物品保管装置は、前記物品の入庫の際に、利用者に対して、前記物品情報取得部による前記物品情報の取得を促す報知を行う報知部を有することを特徴とする。
【００１１】
また、本発明に係る物品保管装置は、前記物品の出庫の際に、前記利用者情報取得部により前記利用者情報が取得された場合、当該取得された利用者情報に対応付けて前記利用者管理テーブルに記憶されている前記収納庫の一覧を所定の表示部に表示制御する表示制御部を有することを特徴とする。
【００１２】
また、本発明に係る物品保管装置は、前記収納庫から出庫された物品の返却期限と、当該物品の前記物品情報と、当該物品を出庫した利用者の前記利用者情報とを対応付けて記憶した期限管理テーブルと、前記期限管理テーブルに記憶されている前記利用者情報に対応する利用者へ、当該利用者が出庫した物品の返却期限を所定の通信回線を用いて送信する返却期限情報送信部とを有することを特徴とする。
【００１３】
また、本発明に係る物品保管装置は、物品の出庫の予約を受付ける予約受付部と、前記予約受付部により予約を受付けた予約物品が前記収納庫に存在するか否かを示す情報と、前記予約を行った利用者の前記利用者情報とを対応付けて記憶した予約管理テーブルと、前記予約物品が前記収納庫に入庫された場合に、前記予約管理テーブルに記憶されている前記利用者情報に対応する利用者へ、前記予約物品が出庫可能な状態になったことを示す情報を所定の通信回線を用いて送信する入庫情報送信部とを有することを特徴とする。
【００１４】
また、本発明に係る物品保管装置は、各前記収納庫内の物品の種別を検知する検知部と、前記検知部の検知結果に基づいて、前記収納庫内の物品の種別を判定する物品判定部と、前記物品判定部により判定した物品の種別と、前記物品情報取得部により取得した前記物品情報に対応する物品の種別とが同一でなかった場合に、その旨を報知する報知部とを有することを特徴とする。
【００１５】
また、本発明に係る物品保管装置において、前記検知部は、物品の特徴として、前記物品の形状、重量、色彩のうち少なくとも一種類の特徴を検出するセンサを有することを特徴とする。
【発明の効果】
【００１６】
本発明では、施錠装置を備え、物品を収納する複数の収納庫と、各物品を識別するための物品情報と、前記物品を収納する前記収納庫とを対応付けて記憶した物品管理テーブルと、前記物品に付された記録媒体から前記物品情報を取得する物品情報取得部と、物品を前記収納庫に入庫する際に、前記物品情報取得部により前記物品情報が取得された場合、当該取得された物品情報と対応付けて前記物品管理テーブルに記憶されている収納庫の前記施錠装置を開錠制御する制御部とを有する物品保管装置としたため、物品を収納する際に、その物品を収納すべき収納庫が開錠されるため、確実に物品を所定の収納庫に収納させることができ、物品の管理を厳正に行うことができる。
【００１７】
また、本発明に係る物品保管装置は、当該物品保管装置の利用者を識別するための利用者情報を取得する利用者情報取得部と、各前記収納庫と各前記収納庫を利用可能な利用者の前記利用者情報とを対応付けて記憶した利用者管理テーブルと、前記利用者が前記物品を前記収納庫から出庫する際に、前記利用者情報取得部により前記利用者情報が取得された場合、当該取得された利用者情報に対応付けて前記利用者管理テーブルに記憶されている前記収納庫を前記利用者に選択させる選択部とを有するため、物品を取出す利用者は、自身の利用者情報と対応付けられて利用者管理テーブルに記憶されている収納庫から物品を取出すことができないので、物品の取出し権限のない利用者により物品が取出されることを防止することができ、物品の管理を厳正に行うことができる。
【００１８】
また、本発明に係る物品保管装置は、前記物品の入庫の際に、利用者に対して、前記物品情報取得部による前記物品情報の取得を促す報知を行う報知部を有するため、報知部の報知に促されて利用者は、物品情報取得部により自身が持参した物品に付された記録媒体から物品情報を取得させようとするので、利用者が誤って別の物品を持参した場合に、そのことを利用者へ容易に気づかせることができる。
【００１９】
また、本発明に係る物品保管装置は、前記物品の出庫の際に、前記利用者情報取得部により前記利用者情報が取得された場合、当該取得された利用者情報に対応付けて前記利用者管理テーブルに記憶されている前記収納庫の一覧を所定の表示部に表示制御する表示制御部を有するため、利用者は、自身が利用可能な収納庫を容易に認識することができるので、利用者にとっての使い勝手を向上させることができる。
【００２０】
また、本発明に係る物品保管装置は、前記収納庫から出庫された物品の返却期限と、当該物品の前記物品情報と、当該物品を出庫した利用者の前記利用者情報とを対応付けて記憶した期限管理テーブルと、前記期限管理テーブルに記憶されている前記利用者情報に対応する利用者へ、当該利用者が出庫した物品の返却期限を所定の通信回線を用いて送信する返却期限情報送信部とを有するため、物品を出庫した利用者による物品の返却忘れを防止することができる。
【００２１】
また、本発明に係る物品保管装置は、物品の出庫の予約を受付ける予約受付部と、前記予約受付部により予約を受付けた予約物品が前記収納庫に存在するか否かを示す情報と、前記予約を行った利用者の前記利用者情報とを対応付けて記憶した予約管理テーブルと、前記予約物品が前記収納庫に入庫された場合に、前記予約管理テーブルに記憶されている前記利用者情報に対応する利用者へ、前記予約物品が出庫可能な状態になったことを示す情報を所定の通信回線を用いて送信する入庫情報送信部とを有するため、利用者は、予約物品が出庫可能な状態になったことを通信回線を介して受信できるので、予約物品の在庫状態を確認するために度々物品保管装置へ足を運ぶ必要がなく、利用者にとっての使い勝手が向上する。
【００２２】
また本発明に係る物品保管装置は、各前記収納庫内の物品の種別を検知する検知部と、前記検知部の検知結果に基づいて、前記収納庫内の物品の種別を判定する物品判定部と、前記物品判定部により判定した物品の種別と、前記物品情報取得部により取得した前記物品情報に対応する物品の種別とが同一でなかった場合に、その旨を報知する報知部とを有するため、利用者が物品に対応した収納庫へ、故意に別の物品を収納することを抑制することができるので、物品の管理を厳正に行うことができる。
【００２３】
また、本発明に係る物品保管装置において、前記検知部は、物品の特徴として、前記物品の形状、重量、色彩のうち少なくとも一種類の特徴を検出するセンサを有することを特徴とするため、収納庫へ収納された物品がその収納庫に収納されるべき物品であるか否かをより確実に判定することができる。
【発明を実施するための最良の形態】
【００２４】
本実施形態に係る物品保管装置は、会社の備品保管室等に配設され、社員等の利用者に貸出すための物品を収納させて保管しておく装置であり、特に、保管する物品を厳正に管理することができるように構成された装置である。
【００２５】
以下、本発明に係る物品保管装置の一実施形態について、図面を参照して具体的に説明する。ここでは、利用者に対して貸出すための物品を保管する物品保管装置に対して本発明を適用した場合を例に挙げて説明するが、本発明は、貸出し用の物品に限らず任意の物品を保管する物品保管装置に対して適用することができるものである。
【００２６】
まず、図１を参照して、本実施形態に係る物品保管装置の外観について説明する。図１は、本実施形態に係る物品保管装置を示す斜視図である。図１に示すように、本実施形態に係る物品保管装置１は、縦長箱形状の筺体の両側部に物品を収納する収納部２を備え、これら収納部２を挟んだ筺体の中央部に、当該物品保管装置１の動作及び収納部２内に収納した物品の管理を行う管理部３を備えている。
【００２７】
各収納部２は、最上層と最下層とに比較的大型の物品を収納可能な大型収納庫２ａを備え、これら上下の大型収納庫２ａの間の中間層に、大型収納庫２ａよりも収納容量が小さな複数の標準収納庫２ｂを備えている。以下、これら大型収納庫２ａと標準収納庫２ｂとを総称して、単に「収納庫２ｘ」という。なお、図１に示す各収納庫２ｘの収納容量やレイアウトは、一例に過ぎず任意に変更することができる。
【００２８】
管理部３は、物品保管装置１の利用者を顔認証するための顔認証用撮像部４と、物品保管装置１の操作手順や収納庫２ｘに収納している物品に関する情報等を画面上に表示すると共に、利用者が表示中の画面上における所定位置に触れることによって、物品保管装置１に各種機能を実行させるタッチパネル機能を有する表示操作部５とを備えている。
【００２９】
また、管理部３は、利用者をＩＣカードにより認証するためのＩＣカードリーダ６と、物品に貼付されたバーコードからその物品に関する情報を読み取るバーコードリーダ７と、物品を撮像するための物品用撮像部８とを備えている。また、物品用撮像部８の下方には、郵便物収納部９（図２参照）を備えている。図１中の符号９ａは、郵便物収納部９に郵便物を投入するための郵便物投入口、符号９ｂは、郵便物収納部９から郵便物を取り出す際に開閉する扉である。
【００３０】
また、この管理部３は、郵便物収納部９の下方に、物品保管装置１全体の動作を統括制御する後述の制御部１０（図２参照）を備えている。なお、図１中の符号１０ａは、制御部１０の設定やメンテナンスを行う際に開閉する扉、符号１０ｂは、扉１０ａを開錠及び施錠する鍵孔である。
【００３１】
この物品保管装置１は、利用者による表示操作部５の操作に基づいて、制御部１０が収納庫２ｘの施錠及び開錠を行う。
【００３２】
ここで、図２を参照して、物品保管装置１の構成について説明する。図２は、本実施形態に係る物品保管装置１の構成を示す機能ブロック図である。図２に示すように、物品保管装置１は、収納部２と管理部３とを備えている。
【００３３】
収納部２は、複数の収納庫２ｘを備えている。各収納庫２ｘは、それぞれ物品を収納可能な収納領域を有するとボックスと、制御部１０による制御に従って各収納庫２ｘの開錠及び施錠を行う施錠装置としての電子キー２ｄと、各収納庫２ｘ内部に物品が収納されているか否かを検知するセンサ２ｅとを備えている。
【００３４】
このセンサ２ｅは、収納された物品の形状及び色彩を検知するフォトセンサと、物品の重量を検知する重量センサとを備えている。
【００３５】
管理部３は、表示操作部５、スピーカ１６ａ、バーコードリーダ７、ＩＣカードリーダ６、顔認証用撮像部４、物品用撮像部８、制御部１０、記憶部２０、郵便物収納部９を備えている。
【００３６】
表示操作部５は、タッチパネル機能を備えた液晶表示装置により構成している。この表示操作部５は、制御部１０による表示制御に従って、物品保管装置１の操作手順や収納庫２ｘに収納している物品に関する情報、記憶部２０に記憶している後述の各種テーブル内の情報等を画面上に表示する。また、この表示操作部５は、利用者が表示中の画面上における所定位置に触れる操作を行うと、その操作に応じた操作信号を制御部１０へ出力する。
【００３７】
スピーカ１６ａは、制御部１０による制御に基づいて、利用者に対して様々な報知音や報知アナウンスを出音する。
【００３８】
バーコードリーダ７は、物品に添付されている記録媒体としてのバーコードからその物品に関する物品情報として、その物品の種類（物品名及びその物品を識別するための情報）、その物品を利用可能な利用者に関する利用者情報等を読み取って制御部１０へ出力する。なお、バーコードには、予め物品の種類、その物品を利用可能な利用者に関する利用者情報等を記録させている。本実施形態では、このバーコードリーダ７が、物品に付された記録媒体から物品情報を取得する物品情報取得部として機能する。
【００３９】
ここで、物品を利用可能な利用者とは、その物品を借受けて使用する権限を有する利用者のことである。本実施形態では、物品保管装置１を利用する各利用者に対し、予め各利用者を識別するための利用者情報として、それぞれ固有の利用者情報を割当てるようにしている。
【００４０】
また、本実施形態では、社内で所定の権限を有する管理職の社員に対して、利用者Ｎｏ．０００１〜００２０までの利用者情報のうちのいずれか一つを割り当てる一方、所定の権限を有さない一般の社員に対して、利用者Ｎｏ．００２１〜０１００までの利用者情報のうちのいずれか一つを割当てるようにしている。
【００４１】
記憶部２０は、書き換え可能な不揮発メモリにより構成しており、物品管理テーブル２１、利用者管理テーブル２２、期限管理テーブル２３、予約管理テーブル２４、認証用データベース２５、物品画像データ２６、音声データベース２７等を記憶している。なお、ここでは、図示を省略しているが、この記憶部２０には、表示操作部５に表示させるための各種画像データも記憶している。
【００４２】
ここで、図３を参照して、記憶部２０に記憶している各種テーブルについて説明する。図３は、記憶部２０に記憶している各種テーブルを概念的に示す説明図である。なお、図３（ａ）は、物品管理テーブル２１、図３（ｂ）は、利用者管理テーブル２２、図３（ｃ）は、期限管理テーブル２３、図３（ｄ）は、予約管理テーブル２４を示す説明図である。
【００４３】
図３（ａ）に示すように、物品管理テーブル２１は、各収納庫２ｘに割当てられた識別番号としてのボックスＮｏと、そのボックスＮｏに対応する収納庫２ｘに収納されている物品の物品情報とを対応付けて記憶している。この物品管理テーブル２１における物品情報のＣＡは、デジタルカメラ、ＰＣは、パソコン（パーソナルコンピュータ）を示している。
【００４４】
また、図３（ｂ）に示すように、利用者管理テーブル２２は、物品が収納されている各収納庫２ｘのボックスＮｏと、そのボックスＮｏに対応する収納庫２ｘ及びその収納庫２ｘに収納されている物品を利用可能な利用者の利用者情報とを対応付けて記憶している。
【００４５】
また、図３（ｃ）に示すように、期限管理テーブル２３は、収納庫２ｘから出庫（貸出された）物品の物品情報と、その物品の返却期限と、その物品を出庫した利用者（貸与者）の利用者情報とを対応付けて記憶している。
【００４６】
また、図３（ｄ）に示すように、予約管理テーブル２４は、出庫中（貸出し中）の物品の中で、貸出しが予約された物品（以下、「予約物品」という。）の物品情報と、予約物品が所定の収納庫２ｘに存在するか否かを示すフラグと、予約物品を予約した利用者（以下、「予約者」という。）の利用者情報とを対応付けて記憶している。なお、本実施形態では、予約物品が所定の収納庫２ｘに存在している場合（返却済みの場合）に、フラグとして「１」を記憶させ、予約物品が所定の収納庫２ｘに存在していない場合（貸出し中の場合）に、フラグとして、「０」を記憶させる。
【００４７】
また、記憶部２０に記憶している認証用データベース２５には、本実施形態の物品保管装置１の利用者の顔を予め撮像した画像データと、その利用者の利用者情報と、その利用者の連絡先（Ｅ−Ｍａｉｌアドレス）とを対応付けて、各利用者毎に記憶している。
【００４８】
また、記憶部２０に記憶している音声データベース２７には、スピーカ１６ａから出音するための各種音声データが記憶されている。また、記憶部２０には、物品画像データ２６として、物品用撮像部８により物品を予め撮像した画像データが、その物品の物品情報とを対応付けて記憶されている。
【００４９】
制御部１０は、物品保管装置１全体の動作を統括制御するコンピュータにより構成しており、図示しないＣＰＵ（Central Processing Unit）が、ＲＯＭ(Read Only Memory）から所定の制御プログラムを読み出しＲＡＭ（Random Access Memory）を作業領域として使用して実行することにより動作する施開錠制御部１１、計時部１２、物品判定部１３、記憶制御部１４、表示操作制御部１５、出音制御部１６、認証部１７、通信部１８を備えている。
【００５０】
計時部１２は、現在日時を計時する時計により構成している。また、物品判定部１３は、各収納庫２ｘに設けられているセンサ２ｅから入力される検知信号に基づいて、各収納庫２ｘに入庫された物品の形状、色彩、重量に関する情報を取得して物品を判定すると共に、センサ２ｅによる検知結果と記憶部２０に記憶されている物品の画像データ及び該画像データと対応して記憶されている物品情報とから入庫された物品の物品情報を判定する。さらに、この物品判定部１３は、入庫された物品の物品情報とバーコードリーダ７により読取った物品情報とに基づいて、収納庫２ｘに入庫された物品が、その収納庫２ｘに収納されるべき所定の物品か否かを判定する処理部である。
【００５１】
表示操作制御部１５は、利用者による表示操作部５の操作に基づいて、状況に応じた画像データを記憶部２０から読み出して、表示操作部５に表示させる処理部である。この表示操作制御部１５の制御により表示操作部５に表示される画面については、後に詳述する。また、この表示操作制御部１５は、利用者による表示操作部５の操作に応じた操作信号を施開錠制御部１１、記憶制御部１４に出力する。
【００５２】
出音制御部１６は、当該物品保管装置１の動作状態に応じて、記憶部２０の音声データベース２７から所定の音声データを読み出して、スピーカ１６ａから出音させる処理部である。
【００５３】
認証部１７は、顔認証用撮像部４により撮像された利用者の顔画像データ、又は、ＩＣカードリーダ６から入力された利用者の利用者情報、又は、これらの両方から利用者の本人認証を行う処理部である。
【００５４】
この認証部１７は、顔認証用撮像部４から利用者の顔画像データが入力された場合に、その顔画像データと記憶部２０の認証用データベース２５に記憶されている顔画像データとを照合することによって利用者の本人認証を行い、ＩＣカードリーダ６から利用者の利用者情報が入力された場合には、その利用者情報と記憶部２０に記憶されている利用者の利用者情報とを照合して利用者の本人認証を行う。
【００５５】
そして、この認証部１７は、顔画像データによる本人認証に成功した場合には、その顔画像データと対応付けて認証用データベース２５に記憶されている利用者情報を今回の利用者の利用者情報として取得し、ＩＣカードによる本人認証に成功した場合には、そのＩＣカードから読取った利用者情報を今回の利用者の利用者情報として取得する。
【００５６】
このように、本実施形態では、この認証部１７が当該物品保管装置１の利用者を識別するための利用者情報を取得する利用者情報取得部として機能する。
【００５７】
記憶制御部１４は、記憶部２０への各種データの書き込み、及び記憶部２０からの各種データの読み出しを行う処理部である。
【００５８】
通信部１８は、所定の通信回線を介して、各利用者の端末（例えば、パソコンや携帯電話等）へ情報を送信する通信装置により構成しており、返却期限情報送信部１８ａと、入庫情報送信部１８ｂとを備えている。
【００５９】
返却期限情報送信部１８ａは、期限管理テーブル２３に記憶されている利用者情報に対応する利用者の端末へ、その利用者が出庫した物品の返却期限に関する情報を所定の通信手段によって送信する処理部である。
【００６０】
本実施形態において、この返却期限情報送信部１８ａは、計時部１２により計時された日時が、期限管理テーブル２３に記憶されている返却期限になったときに、その返却期限に対応する物品を出庫した利用者の端末へ返却期限情報を記載したＥ−Ｍａｉｌを送信する。なお、Ｅ−Ｍａｉｌを送信する日時は、返却期限当日に限定するものではなく、返却期限の前日や、返却期限を過ぎたとき等、任意に変更してもよい。
【００６１】
入庫情報送信部１８ｂは、予約物品が所定の収納庫２ｘに入庫された場合に、その予約物品に関して、予約管理テーブル２４に記憶されている利用者情報に対応する利用者の端末へ、予約物品が出庫（貸出し）可能な状態になったことを示す情報（入庫情報）を所定の通信手段によって送信する処理部である。本実施形態では、この入庫情報についても、Ｅ−Ｍａｉｌによって入庫情報送信部１８ａが利用者の端末へ送信する。
【００６２】
施開錠制御部１１は、利用者による表示操作部５の操作に応じた操作信号に基づいて、各収納庫２ｘの電子キー２ｄを施錠制御及び開錠制御する処理部である。
【００６３】
ここで、上記のように構成した物品保管装置１の動作について、動作中に表示操作部５に表示される画面の一例を参照しながら説明する。図４〜図８は、物品保管装置１の動作中に表示操作部５に表示される画面の一例を示す説明図である。
【００６４】
ここでは、まず物品保管装置１に貸出し用の物品を収納して登録する場合について説明する。この物品保管装置１では、待機状態において、図４（ａ）に示すように、表示操作制御部１５が表示操作部５の表示領域に、利用者の認証方法を選択させる待機画面を表示させる。本実施形態では、利用者が顔認証、ＩＣカード認証、顔認証＋ＩＣカード認証の中から所望の認証方法を選択できるようにしている。
【００６５】
ここで、利用者が顔認証を選択した場合、顔認証用撮像部４が撮像した利用者の顔画像の顔画像データを認証部１７へ出力する。認証部１７は、顔認証用撮像部４から入力された利用者の顔画像データと、記憶部２０の認証用データベース２５に記憶されている顔画像データとを照合することによって、利用者の本人認証を行う。
【００６６】
このとき、認証部１７による本人認証の結果、利用者に該当する顔画像データが存在しなかった場合、認証部１７はその旨を示す信号を表示操作制御部１５へ出力する。そして、表示操作制御部１５は、この信号が入力されると、本人認証を行った利用者が物品保管装置１に登録されていない旨を示す情報を表示操作部５に表示させる。
【００６７】
一方、認証部１７による本人認証の結果、利用者に該当する顔画像データが存在した場合、認証部１７は、その旨を示す信号を表示操作制御部１５へ出力する。表示操作制御部１５は、この信号が入力されると、図４（ｂ）に示す処理選択表示を表示操作部５に表示させる。
【００６８】
本実施形態では、この処理選択表示によって、物品の「登録」、「貸出し」、「返却」、「予約」のうちのいずれか一つを利用者に選択させる。ここで、利用者が「登録」を選択すると、表示操作制御部１５は、図４（ｃ）に示すように、利用者に対してバーコード認証を促すバーコード入力表示を表示操作部５に表示させる。本実施形態では、この表示操作部５が、物品の入庫の際に、利用者に対して物品情報取得部による物品情報の取得を促す報知を行う報知部として機能する。
【００６９】
そして、利用者がこれから収納する物品に貼付されているバーコードをバーコードリーダ７にかざすと、バーコードリーダ７は、バーコードからその物品の物品名、物品情報（物品の識別情報）、その物品を利用可能な利用者の利用者情報を示すデータを読取って、表示操作制御部１５と記憶制御部１４とに出力する。
【００７０】
その後、表示操作制御部１５は、図５（ａ）に示すように、利用者に物品を収納する収納庫２ｘを選択させるボックス選択表示を表示操作部５に表示させる。このとき表示操作制御部１５は、現時点で物品が登録されていない収納庫を強調表示させる。
【００７１】
そして、利用者が表示操作部５のテンキーの表示部分を操作して、所望の収納庫２ｘを選択し、その後、画面右下の決定ボタンの表示位置に触れて決定操作を行うと、表示操作制御部１５は、図５（ｂ）に示すように、バーコードリーダ７により読取った物品に関する情報と、利用者が選択したボックス番号とを示す入力結果表示を表示操作部５に表示させる。
【００７２】
図５（ｂ）に示す例では、２００８／０７／０１に、ボックスＮｏ．０２の収納庫２ｘへデジタルカメラが収納され、このデジタルカメラの利用者が利用者情報Ｎｏ．０００１〜Ｎｏ．０１００の利用者、つまり一般の社員及び管理職の社員の全社員である場合の入力結果表示を示している。
【００７３】
そして、入力結果表示右下の決定ボタンの表示位置に触れて決定操作を行うと、その操作に基づいて施開錠制御部１１がボックスＮｏ．０２の収納庫２ｘの電子キー２ｄを開錠制御する。
【００７４】
その後、利用者が物品を開錠された収納庫２ｘへ収納して、その収納庫２ｘの扉を閉めると、施開錠制御部１１がボックスＮｏ．０２の収納庫２ｘの電子キー２ｄを施錠制御する。
【００７５】
その後、記憶制御部１４は、今回バーコードリーダ７により読取った情報と、利用者により入力されたボックスＮｏとを記憶部２０に記憶させることによって、物品管理テーブル２１及び利用者管理テーブル２２の記憶内容を更新する。
【００７６】
続いて、表示操作制御部１５は、図５（ｃ）に示すように、利用者に物品の登録を継続するか否かを選択させる処理継続選択表示を表示操作部５に表示させる。
【００７７】
ここで、利用者が「継続する」を選択する操作を行った場合、表示操作制御部１５は、図４（ｃ）に示すバーコード入力表示を表示操作部５に表示させ、「継続しない」を選択する操作を行った場合、図４（ａ）に示す待機画面表示を表示操作部５に表示させる。
【００７８】
次に、利用者が処理選択表示（図４（ｂ）参照）において、「貸出し」を選択した場合の物品保管装置１の動作について説明する。
【００７９】
利用者が処理選択表示から「貸出し」を選択した場合に、表示操作制御部１５は、図６（ａ）に示すように、物品管理テーブル２１及び利用者管理テーブル２２に記憶している情報に基づいて、現在貸出し可能な物品の一覧である貸出し可能物品一覧表示を表示操作部５に表示させる。
【００８０】
図６（ａ）では、本人認証の際に取得された利用者情報がＮｏ．０００１〜Ｎｏ．００２０（管理職の社員の利用者情報）であった場合の一例を示している。このように、管理職の社員が貸出し操作を行った場合には、現在出庫可能な全ての物品、その物品を利用可能な利用者の利用者情報、その物品が収納されている収納庫２ｘのボックスＮｏが一覧形式で表示される。
【００８１】
このように、本実施形態の物品保管装置１では、現時点で貸出し可能な物品を一覧表示するため、利用者は、容易に借受けたい物品を探し出すことができるため、利便性が向上する。
【００８２】
そして、利用者は、貸出し可能物品一覧表示の画面右下の選択移動ボタンと決定ボタンの表示位置を操作して、所望の物品が収納されている収納庫２ｘを選択して決定する。
【００８３】
一方、本人認証の際に取得された利用者情報がＮｏ．００２１〜Ｎｏ．０１００（一般の社員の利用者情報）であった場合、表示操作制御部１５は、物品管理テーブル２１及び利用者管理テーブル２２に記憶している情報に基づいて、図６（ｂ）に示す貸出し可能物品一覧表示を表示操作部５に表示させる。
【００８４】
この図６（ｂ）に示すように、本実施形態の物品保管装置１では、一般の社員が貸出し操作を行った場合、管理職の社員にしか利用権限のないパソコン（２）を除いて、現在貸出し可能な物品の一覧を表示させる。
【００８５】
このように、本実施形態の物品保管装置１では、認証部１７により取得した利用者情報に対応した利用者が利用可能な収納庫２ｘ、その収納庫２ｘ内の物品、利用可能な利用者の利用者情報だけを一覧するので、利用権限を有する利用者しか利用できない収納庫２ｘ及び物品が、利用権限のない利用者に貸出されることを防止することができ、これにより、厳正に物品を管理することができる。
【００８６】
その後、利用者は、貸出し可能物品一覧表示の画面右下の選択移動ボタンと決定ボタンの表示位置を操作して、所望の物品が収納されている収納庫２ｘを選択して決定する。
【００８７】
このように、本実施形態では、表示操作部５が、利用者が収納庫２ｘから物品を出庫する際に、利用者情報取得部により利用者情報が取得された場合、当該取得された利用者情報に対応付けて利用者管理テーブル２２に記憶されている収納庫２ｘを利用者に選択させる選択部として機能する。
【００８８】
利用者によって収納庫２ｘが選択されると、施開錠制御部１１が選択された収納庫２ｘの電子キー２ｄを開錠制御し、表示操作制御部１５が、図６（ｃ）に示すように、物品の返却日を入力させる画面を表示操作部５に表示させる。
【００８９】
そして、利用者が所望の物品を収納庫２ｘから取出し、表示操作部５を操作して返却日を入力して決定操作を行うと、施開錠制御部１１は、電子キー２ｄを施錠制御する。
【００９０】
電子キー２ｄの施錠後、通信部１８の返却期限情報送信部１８ａは、今回入力された返却日を今回出庫された物品に関する返却期限情報の送信日として予約する処理を行う。その後、記憶制御部１４は、利用者によって入力された返却日、今回出庫された物品の物品情報、今回物品を出庫した利用者の利用者情報をそれぞれ対応付けて期限管理テーブル２３に記憶させる。
【００９１】
最後に、表示操作制御部１５は、図５（ｃ）に示した処理継続選択表示を表示操作部５に表示させ、「継続する」が選択された場合に、内容が更新された貸出し可能物品一覧表示を表示操作部５に表示させ、「継続しない」が選択された場合に、図４（ａ）に示す待機画面を表示操作部５に表示させる。
【００９２】
その後、返却期限情報送信部１８ａは、計時部１２が計時した日時が、期限管理テーブル２３に記憶されている日時になった場合に、該当する利用者情報に対応する利用者の端末へＥ−Ｍａｉｌにより返却期限情報を送信する。これにより、物品を出庫した利用者による物品の返却忘れを防止することができる。
【００９３】
次に、利用者が処理選択表示（図４（ｂ）参照）において、「返却」を選択した場合の物品保管装置１の動作について説明する。
【００９４】
利用者が処理選択表示から「返却」を選択した場合に、表示操作制御部１５は、図７（ａ）に示すように、利用者に対してバーコード認証を促すバーコード入力表示を表示操作部５に表示させる。本実施形態では、この表示操作部５が、物品の入庫の際に、利用者に対して物品情報取得部による物品情報の取得を促す報知を行う報知部として機能する。
【００９５】
このように本実施形態の物品保管装置１では、表示操作部５によって、物品を返却する利用者に対して、バーコードリーダ７による物品情報の読み取りを促す報知を行うため、利用者が誤って別の物品を持参した場合に、そのことを利用者へ容易に気づかせることができる。
【００９６】
そして、利用者が持参した物品に貼付されているバーコードをバーコードリーダ７にかざすと、バーコードリーダ７は、バーコードからその物品の物品名、物品情報（物品の識別情報）を示すデータを読取って、表示操作制御部１５と記憶制御部１４とに出力する。
【００９７】
表示操作制御部１５は、図７（ｂ）に示すように、バーコードから読取った物品情報に基づいて、物品管理テーブル２１及び期限管理テーブル２３を参照し、物品名と、その物品の返却期限、その物品を出庫した利用者の利用者情報、その物品を返却すべき収納庫２ｘのボックスＮｏを入力結果表示として表示操作部５へ表示させる。
【００９８】
その後、利用者が入力結果表示右下の確認ボタンの表示位置を操作すると、施開錠制御部１１は、入力結果表示において選択された収納庫２ｘの電子キー２ｄを開錠制御する。
【００９９】
このように、本実施形態の物品保管装置１では、物品を収納庫２ｘに収納して返却する際に、バーコードリーダ７により読取った物品情報と対応付けて物品管理テーブル２１に記憶されている収納庫２ｘを開錠するため、物品を返却して収納する際に、その物品を収納すべき所定の収納庫が開錠されるため、確実に物品を所定の収納庫に収納させることができ、物品の管理を厳正に行うことができる。
【０１００】
そして、利用者が返却する物品を開錠された収納庫２ｘへ収納すると、物品判定部１３は、フォトセンサにより検知した物品の形状及び色彩と、予め記憶部２０に記憶しておいた物品画像データとを照合して、入庫された物品の種別及びその物品情報を判定し、判定した物品情報とバーコードリーダ７により読取った物品情報とから、その物品が貸出した物品と同一物品であるか否かの判定を行う。このとき、物品判定部１３は、重量センサによる検知結果に基づいて、収納庫２ｘに物品が入庫されたか否かの判定も行う。
【０１０１】
なお、重量センサを更に有効に利用するために、予め物品の物品情報と、その物品の重量に関する情報とを対応付けて記憶部２０に記憶させておき、重量センサにより検知した重量と物品の形状及び色彩と、記憶部２０に記憶させておいた物品の重量に関する情報と物品画像データとに基づいて、物品の種別及び物品情報を判定してから、入庫された物品が貸出した物品と同一物品であるか否かの判定を行うように物品判定部１３を構成してもよい。
【０１０２】
かかる構成とすれば、収納庫２ｘへ収納された物品がその収納庫に収納されるべき物品であるか否かをより確実に判定することができる。
【０１０３】
そして、この物品判定部１３による判定の結果、入庫された物品と貸出した物品とが同一物品でなかった場合、表示操作制御部１５は、図７（ｃ）に示すように、入庫された物品と貸出した物品とが同一物品でなかった旨を示す警告表示を表示操作部５に表示させる。
【０１０４】
このように、本実施形態の物品保管装置１では、物品を返却した際に、実際に収納庫２ｘへ入庫した物品から判定した物品情報と、バーコードリーダ７によりバーコードから読取った物品情報とに基づいて、その収納庫２ｘに入庫した物品と、その収納庫２ｘから出庫した物品とが一致していなかった場合に、その旨を利用者に報知することができるため、利用者が物品に対応した収納庫へ、故意に別の物品を収納することを抑制することができるので、物品の管理を厳正に行うことができる。
【０１０５】
その後、利用者が警告表示右下の確認ボタンの表示位置を操作した後、収納庫２ｘの扉が閉塞されたことを検知すると、施開錠制御部１１は、その扉の電子キー２ｄを施錠制御する。
【０１０６】
そして、記憶制御部１４は、所定の収納庫２ｘに所定の物品が返却された場合に、当該返却された物品に関する情報を期限管理テーブル２３から削除する。このとき、この返却された物品が予約物品であった場合、予約管理テーブル２４におけるこの物品の在庫状態を示すフラグとして、「１」を記憶させる。
【０１０７】
その後、表示操作制御部１５は、図５（ｃ）に示した処理継続選択表示を表示操作部５に表示させ、「継続する」が選択された場合に、図７（ａ）に示したバーコード入力表示を表示操作部５に表示させ、「継続しない」が選択された場合に、図４（ａ）に示す待機画面を表示操作部５に表示させる。
【０１０８】
次に、利用者が処理選択表示（図４（ｂ）参照）において、「予約」を選択した場合の物品保管装置１の動作について説明する。
【０１０９】
利用者が処理選択表示から「予約」を選択した場合に、表示操作制御部１５は、図８（ａ）に示すように、現時点で貸し出し中の物品の一覧を示す予約可能物品一覧表示を表示操作部５に表示させる。
【０１１０】
そして、利用者が予約可能物品一覧表示右下の選択移動ボタンと決定ボタンの表示位置を操作して、所望の物品が収納されている収納庫２ｘを選択して決定すると、表示操作制御部１５は、図８（ｂ）に示すように、予約が完了したこと、予約物品の物品名、予約物品が入庫する予定日、さらに、予約物品の入庫後にその旨を示す入庫情報が連絡メールとして送信されること等が記載された予約確認表示を表示操作部５に表示させる。
【０１１１】
その後、利用者が予約確認表示右下の確認ボタンの表示位置を確認操作すると、記憶制御部１４は、今回の予約内容を予約管理テーブル２４に記憶させると共に、通信部１８の入庫情報送信部１８ｂに対して、今回予約された予約物品に関する入庫情報の送信を予約する入庫情報送信予約処理を行う。
【０１１２】
その後、表示操作制御部１５は、図５（ｃ）に示した処理継続選択表示を表示操作部５に表示させ、「継続する」が選択された場合に、図８（ａ）に示した、内容が変更された現時点で貸し出し中の物品の一覧を示す予約可能物品一覧表示を表示操作部５に表示させ、「継続しない」が選択された場合に、図４（ａ）に示す待機画面を表示操作部５に表示させる。
【０１１３】
また、入庫情報の送信予約を受付けた入庫情報送信部１８ｂは、所定周期で予約管理テーブル２４を参照し、予約物品に関する在庫状態を示すフラグが「０」から「１」に変化した予約物品の予約者に対して、入庫情報を記載した連絡メールを送信する。
【０１１４】
これにより、利用者は、予約物品が出庫可能な状態になったことを通信回線を介して受信できるので、予約物品の在庫状態を確認するために度々物品保管装置へ足を運ぶ必要がなく、利用者にとっての使い勝手が向上する。
【０１１５】
次に、利用者が物品の登録、借受け、返却、予約を行う際に、物品保管装置１の制御部１０が実行する処理について、図９〜図１３を参照して説明する。図９〜図１３は、本実施形態に係る物品保管装置１の制御部１０が実行する処理を示すフローチャートである。
【０１１６】
物品保管装置１の制御部１０は、電源が投入されると、図９に示すように、表示操作部５に待機画面表示（図４（ａ）参照）を表示させ（ステップＳ１０１）、その後、利用者により認証方法が選択されたか否かの判定を行う（ステップＳ１０２）。
【０１１７】
このステップＳ１０２において、制御部１０は、認証方法が選択されたと判定した場合（ステップＳ１０２：Ｙｅｓ）、処理をステップＳ１０３へ移し、認証方法が選択されなかったと判定した場合（ステップＳ１０２：Ｎｏ）、処理をステップＳ１０１へ移す。
【０１１８】
ステップＳ１０３において、制御部１０は、利用者により選択された認証方法により、利用者が認証されたか否かを判定し、認証されたと判定した場合（ステップＳ１０３：Ｙｅｓ）、処理をステップＳ１０４へ移し、認証されなかったと判定した場合（ステップＳ１０３：Ｎｏ）、処理をステップＳ１０１へ移す。
【０１１９】
ステップＳ１０４において、制御部１０は、利用者に処理を選択させる処理選択表示（図４（ｂ）参照）を表示操作部５に表示させ、その後、利用者により処理が選択されたか否かの判定を行い（ステップＳ１０５）、処理が選択されたと判定した場合（ステップＳ１０５：Ｙｅｓ）、処理をステップＳ１０６へ移し、処理が選択されなかったと判定した場合（ステップＳ１０５：Ｎｏ）、処理が選択されるまで処理選択表示を表示させる（ステップＳ１０４）。
【０１２０】
ステップＳ１０６において、制御部１０は、選択された処理が物品を初期登録（最初に入庫する際の登録）を行うための登録処理であるか否かの判定を行い、登録処理であると判定した場合（ステップＳ１０６：Ｙｅｓ）、登録処理を行い（ステップＳ１０７）、その後、処理を終了する。この登録処理については後に図１０を参照して詳述する。一方、制御部１０は、選択された処理が登録処理でないと判定した場合（ステップＳ１０６：Ｎｏ）、処理をステップＳ１０８へ移す。
【０１２１】
ステップＳ１０８において、制御部１０は、選択された処理が物品を利用者へ貸出すための貸出し処理であるか否かを判定し、貸出し処理であると判定した場合（ステップＳ１０８：Ｙｅｓ）、貸出し処理を行い（ステップＳ１０９）、その後、処理を終了する。この取出し処理については、後に図１１を参照して詳述する。一方、制御部１０は、選択された処理が貸出し処理でないと判定した場合（ステップＳ１０８：Ｎｏ）、処理をステップＳ１１０へ移す。
【０１２２】
ステップＳ１１０において、制御部１０は、選択された処理が利用者から返却される物品を受付ける返却処理であるか否かを判定し、返却処理であると判定した場合（ステップＳ１１０：Ｙｅｓ）、返却処理を行い（ステップＳ１１１）、その後、処理を終了する。この返却処理については、後に図１２を参照して詳述する。一方、制御部１０は、選択された処理が返却処理でないと判定した場合（ステップＳ１１０：Ｎｏ）、制御部１０は、利用者から物品貸出しの予約を受付ける予約処理を行い（ステップＳ１１２）、その後、処理を終了する。この予約処理については、後に図１３を参照して詳述する。
【０１２３】
そして、制御部１０は、登録処理（ステップＳ１０７）、貸出し処理（ステップＳ１０９）、返却処理（ステップＳ１１１）、予約処理（ステップＳ１１２）の各処理を終了した後、再度ステップＳ１０１から順に処理を開始する。
【０１２４】
次に、ステップＳ１０７で実行される登録処理について説明する。図１０に示すように、この登録処理が開始されると制御部１０は、バーコード入力を促すバーコード入力表示（図４（ｃ）参照）を表示操作部５に表示させ（ステップＳ２０１）、バーコード入力の確認後、これから物品を入庫する収納庫２ｘのボックスＮｏの選択を促すボックス選択表示（図５（ａ）参照）を表示操作部５に表示させて（ステップＳ２０２）、処理をステップＳ２０３へ移す。
【０１２５】
ステップＳ２０３において、制御部１０は、ボックスＮｏが入力されたか否かの判定を行い、ボックスＮｏが入力されたと判定した場合（ステップＳ２０３：Ｙｅｓ）、処理をステップＳ２０４へ移す一方、ボックスＮｏが入力されていないと判定した場合（ステップＳ２０３：Ｎｏ）。ボックスＮｏが入力されるまでボックスＮｏ入力表示を継続する（ステップＳ２０２）。
【０１２６】
ステップＳ２０４において、制御部１０は、バーコードリーダ７により取得した情報と表示操作部５から入力された情報を入力結果表示（図５（ｂ）参照）として表示操作部５に表示させ、その後、利用者による決定操作があったか否かの判定を行う（ステップＳ２０５）。
【０１２７】
ステップＳ２０５において、制御部１０は、決定操作があったと判定した場合（ステップＳ２０５：Ｙｅｓ）、ステップＳ２０３で入力されたボックスＮｏに対応する収納庫２ｘの電子キー２ｄを開錠制御して（ステップＳ２０６）、処理をステップＳ２０７へ移す。一方、制御部１０は、決定操作がなかったと判定した場合（ステップＳ２０５：Ｎｏ）、決定操作があるまでステップＳ２０５の判定処理を繰り返す。
【０１２８】
ステップＳ２０７において、制御部１０は、センサ２ｅからの信号に基づき物品の収納（入庫）を確認したか否かの判定を行い、物品の収納が確認された場合（ステップＳ２０７：Ｙｅｓ）、処理をステップＳ２０８へ移す一方、物品の収納が確認されない場合（ステップＳ２０７：Ｎｏ）、物品の収納が確認されるまでステップＳ２０７の判定処理を繰り返す。
【０１２９】
ステップＳ２０８において、制御部１０は、ステップＳ２０６で開錠制御した電子キー２ｄを施錠制御した後、ステップＳ２０４で表示した内容を物品管理テーブル２１及び利用者管理テーブル２２に記憶させるテーブル更新処理を行い（ステップＳ２０９）、その後、処理継続選択表示（図５（ｃ）参照）を表示操作部５に表示させる（ステップＳ２１０）。
【０１３０】
続いて、制御部１０は、利用者による継続操作があったか否かの判定を行い（ステップＳ２１１）、継続操作があったと判定した場合（ステップＳ２１１：Ｙｅｓ）、処理をステップＳ２０１へ移す一方、継続操作がなかったと判定した場合、すなわち、利用者が継続しない意思を示す操作を行った場合（ステップＳ２１１：Ｎｏ）、処理を終了する。
【０１３１】
次に、ステップＳ１０９で実行される貸出し処理について説明する。図１１に示すように、この貸出し処理が開始されると制御部１０は、貸出し可能物品一覧（図６（ａ）、図６（ｂ）参照）を表示操作部５に表示させ（ステップＳ３０１）、利用者による物品選択操作があったか否かの判定を行う（ステップＳ３０２）。
【０１３２】
そして、制御部１０は、物品選択操作があったと判定した場合（ステップＳ３０２：Ｙｅｓ）、返却日入力表示（図６（ｃ）参照）を表示操作部５に表示させ（ステップＳ３０３）、その後、処理をステップＳ３０４へ移す。一方、制御部１０は、物品選択操作がなかった場合（ステップＳ３０２：Ｎｏ）、物品選択操作があるまで、ステップＳ３０２の判定処理を繰り返す。
【０１３３】
ステップＳ３０４において、制御部１０は、利用者による返却日の入力があったか否かの判定を行い、返却日の入力があったと判定した場合（ステップＳ３０４：Ｙｅｓ）、処理をステップＳ３０５へ移す一方、返却日の入力がなかった場合（ステップＳ３０４：Ｎｏ）、返却日の入力があるまでステップＳ３０４の判定処理を繰り返す。
【０１３４】
ステップＳ３０５において、制御部１０は、利用者による決定操作があったか否かの判定を行い、決定操作があったと判定した場合（ステップＳ３０５：Ｙｅｓ）、ステップＳ３０２で選択された物品が収納されている収納庫２ｘの電子キー２ｄを開錠制御して（ステップＳ３０６）、その後、処理をステップＳ３０７へ移す。一方、制御部１０は、決定操作がなかった場合（ステップＳ３０５：Ｎｏ）、決定操作があるまでステップＳ３０５の判定処理を繰り返す。
【０１３５】
ステップＳ３０７において、制御部１０は、センサ２ｅからの信号に基づき物品の貸出しを確認したか否かを判定し、物品の貸出しを確認したと判定した場合（ステップＳ３０７：Ｙｅｓ）、ステップＳ３０６で開錠制御した電子キー２ｄを施錠制御し（ステップＳ３０８）、その後、処理をステップＳ３０９へ移す。一方、制御部１０は、物品の貸出しを確認しない場合（ステップＳ３０７：Ｎｏ）、物品の貸出しを確認するまでステップＳ３０７の判定処理を繰り返す。
【０１３６】
続いて、ステップＳ３０９において、制御部１０では、通信部１８に対して、返却期限情報の送信を予約する返却期限情報送信予約処理が行われ、その後、制御部１０は、ステップＳ３０２で選択された物品の物品情報、その物品を貸し出した利用者の利用者情報、ステップＳ３０４で入力された返却日を期限管理テーブル２３に記憶させるテーブル更新処理を行い（ステップＳ３１０）、処理をステップＳ３１１へ移す。
【０１３７】
ステップＳ３１１において、制御部１０は、処理継続選択表示（図５（ｃ）参照）を表示操作部５に表示させ、その後、継続操作があったか否かの判定を行う（ステップＳ３１２）。
【０１３８】
そして、制御部１０は、継続操作があったと判定した場合（ステップＳ３１２：Ｙｅｓ）、処理をステップＳ３０１へ移す一方、継続操作がなかったと判定した場合、すなわち、利用者が継続しない意思を示す操作を行った場合（ステップＳ３１２：Ｎｏ）、処理を終了する。
【０１３９】
次に、ステップＳ１１１で実行される返却処理について説明する。図１２に示すように、この返却処理が開始されると制御部１０は、バーコード入力表示（図７（ａ）参照）を表示操作部５に表示させ（ステップＳ４０１）、バーコード入力の確認後、バーコードリーダ７により取得した情報を基に、物品管理テーブル２１及び期限管理テーブル２３を参照して、バーコードから取得した物品の物品名、返却期限、使用者、返却すべき収納庫のボックスＮｏが記載された入力結果表示（図７（ｂ）参照）を表示操作部５に表示させる（ステップＳ４０２）。
【０１４０】
その後、制御部１０は、利用者による確認操作があったか否かの判定を行い（ステップＳ４０３）、確認操作があったと判定した場合（ステップＳ４０３：Ｙｅｓ）、ステップＳ４０２で表示したボックスＮｏに対応する収納庫２ｘの電子キー２ｄを開錠制御し（ステップＳ４０４）、処理をステップＳ４０５へ移す。一方、制御部１０は、利用者による確認操作がない場合（ステップＳ４０３：Ｎｏ）、確認操作があるまでステップＳ４０３の判定処理を繰り返す。
【０１４１】
ステップＳ４０５において、制御部１０は、利用者へ貸し出した貸出し品と、収納庫２ｘへ入庫された入庫品とが一致したか否かの判定を行い、貸出し品と入庫品とが一致したと判定した場合（ステップＳ４０５：Ｙｅｓ）、処理をステップ４０８へ移し、貸出し品と入庫品とが一致していないと判定した場合（ステップＳ４０５：Ｎｏ）、処理をステップＳ４０６へ移す。
【０１４２】
ステップＳ４０６において、制御部１０は、貸出し品と入庫品とが一致していなことを示す警告表示を表示操作部５に表示させ、その後、利用者による確認操作があったか否かを判定し（ステップＳ４０７）、確認操作があったと判定した場合（ステップＳ４０７：Ｙｅｓ）、処理をステップＳ４０８へ移し、確認操作がない場合（ステップＳ４０７：Ｎｏ）、確認操作があるまでステップＳ４０７の判定処理を繰り返す。
【０１４３】
ステップＳ４０８において、制御部１０は、ステップＳ４０４で電子キー２ｄを開錠制御した扉の閉鎖を確認したか否かの判定を行い、閉鎖を確認したと判定した場合（ステップＳ４０８：Ｙｅｓ）、処理をステップＳ４０９へ移し、閉鎖を確認していない場合（ステップＳ４０８：Ｎｏ）、閉鎖を確認するまでステップＳ４０８の判定処理を繰り返す。
【０１４４】
ステップＳ４０９において、制御部１０は、ステップＳ４０４で開錠した電子キー２ｄを施錠制御した後、今回返却された物品に関する情報を期限管理テーブル２３から削除すると共に、その物品が予約物品であった場合には、その物品が入庫したことを示すフラグ「１」を予約管理テーブル２４に記憶させるテーブル更新処理を行う（ステップＳ４１０）。
【０１４５】
その後、制御部１０は、処理継続選択表示（図５（ｃ）参照）を表示操作部５に表示させ（ステップＳ４１１）、継続操作があったか否かを判定し（ステップＳ４１２）、継続操作があったと判定した場合（ステップＳ４１２：Ｙｅｓ）、処理をステップＳ４０１へ移す一方、継続操作がなかったと判定した場合、すなわち、利用者が継続しない意思を示す操作を行った場合（ステップＳ４１２：Ｎｏ）、処理を終了する。
【０１４６】
次に、ステップＳ１１２で実行される予約処理について説明する。図１３に示すように、この予約処理が開始されると制御部１０は、予約可能物品一覧表示（図８（ａ）参照）を表示操作部５に表示させる（ステップＳ５０１）。
【０１４７】
続いて、制御部１０は、利用者による予約物品選択があったか否かの判定を行い（ステップＳ５０２）、予約物品選択があったと判定した場合（ステップＳ５０２：Ｙｅｓ）、予約確認表示（図８（ｂ）参照）を表示操作部５に表示させて（ステップＳ５０３）、処理をステップＳ５０４へ移す。一方、制御部１０は、予約物品選択がないと判定した場合（ステップＳ５０２：Ｎｏ）、予約物品選択があるまでステップＳ５０２の判定処理を繰り返す。
【０１４８】
ステップＳ５０４において、制御部１０は、利用者による確認操作があったか否かの判定を行い、確認操作があったと判定した場合（ステップＳ５０４：Ｙｅｓ）、処理をステップＳ５０５へ移す一方、確認操作がないと判定した場合（ステップＳ５０４：Ｎｏ）、確認操作があるまでステップＳ５０４の判定処理を繰り返す。
【０１４９】
ステップＳ５０５において、制御部１０では、通信部１８に対して、ステップＳ５０２で選択された予約物品に関する入庫情報送信予約処理が行われ、その後、制御部１０は、処理継続選択表示（図５（ｃ）参照）を表示操作部５に表示させ（ステップＳ５０６）、継続操作があったか否かを判定し（ステップＳ５０７）、継続操作があったと判定した場合（ステップＳ５０７：Ｙｅｓ）、処理をステップＳ５０１へ移す一方、継続操作がなかったと判定した場合、すなわち、利用者が継続しない意思を示す操作を行った場合（ステップＳ５０７：Ｎｏ）、処理を終了する。
【０１５０】
このように、本実施形態の物品保管装置１は、物品を最初に入庫して登録する際に、物品に関する情報を記録させたバーコードから、その物品の物品情報（物品を識別するための固有の情報）や、その物品を利用可能な利用者（その物品の使用権限を有する利用者）の利用者情報（利用者を識別するための固有の情報）等を取得して記憶部２０で記憶管理する。
【０１５１】
そして、この物品保管装置１では、利用者に貸し出した物品の返却を受ける際に、利用者に対して、前記バーコードによる物品情報の入力を促し、入力された物品情報に対応する物品を収納すべき所定の収納庫２ｘだけを開錠するので、所定の収納庫２ｘへ入庫されるべき所定の物品が入庫されることになり、貸与用の物品を厳正に管理することができる。
【０１５２】
また、本実施形態では、予め撮像した物品の画像と、その物品の物品情報とを記憶部２０に記憶させておくこととしたが、物品を最初に物品保管装置１に収納して登録する登録処理に、物品用撮像部８により物品の画像を撮像して、その画像データと物品情報とを対応付けて記憶部２０に記憶させる処理を加えてもよい。
【０１５３】
そして、各入力結果表示、貸出し可能物品一覧表示、警告表示、予約可能物品一覧表示等を表示操作部５に表示させる際に、その画面中の物品情報に対応させて、その物品の画像を表示させるように構成してもよい。
【０１５４】
かかる構成とすれば、利用者が物品を登録する際、借り受ける物品を選択する際、物品を返却する際、誤って別の物品を持参して収納した際等に、各物品を物品情報だけでなく、その物品の画像からも確認することができるので、物品の借り間違いや返し間違いの発生を抑制することができる。
【図面の簡単な説明】
【０１５５】
【図１】本実施形態に係る物品保管装置を示す斜視図である。
【図２】本実施形態に係る物品保管装置の構成を示す機能ブロック図である。
【図３】記憶部に記憶している各種テーブルを概念的に示す説明図である。
【図４】物品保管装置の動作中に表示操作部に表示される画面の一例を示す説明図である。
【図５】物品保管装置の動作中に表示操作部に表示される画面の一例を示す説明図である。
【図６】物品保管装置の動作中に表示操作部に表示される画面の一例を示す説明図である。
【図７】物品保管装置の動作中に表示操作部に表示される画面の一例を示す説明図である。
【図８】物品保管装置の動作中に表示操作部に表示される画面の一例を示す説明図である。
【図９】物品保管装置の制御部が実行する処理を示すフローチャートである。
【図１０】物品保管装置の制御部が実行する処理を示すフローチャートである。
【図１１】物品保管装置の制御部が実行する処理を示すフローチャートである。
【図１２】物品保管装置の制御部が実行する処理を示すフローチャートである。
【図１３】物品保管装置の制御部が実行する処理を示すフローチャートである。
【符号の説明】
【０１５６】
１  物品保管装置
２  収納部
２ｘ  収納庫
２ｄ  電子キー
２ｅ  センサ
３  管理部
４  顔認証用撮像部
５  表示操作部
６  ＩＣカードリーダ
７  バーコードリーダ
１０  制御部
１１  施開錠制御部
１３  物品判定部
１４  記憶制御部
１５  表示操作制御部
１７  認証部
１８  通信部
１８ａ  返却期限情報送信部
１８ｂ  入庫情報送信部
２０  記憶部
２１  物品管理テーブル
２２  利用者管理テーブル
２３  期限管理テーブル
２４  予約管理テーブル
【図１】
2010112091.tif 000003
【図２】
2010112091.tif 000004
【図３】
2010112091.tif 000005
【図４】
2010112091.tif 000006
【図５】
2010112091.tif 000007
【図６】
2010112091.tif 000008
【図７】
2010112091.tif 000009
【図８】
2010112091.tif 000010
【図９】
2010112091.tif 000011
【図１０】
2010112091.tif 000012
【図１１】
2010112091.tif 000013
【図１２】
2010112091.tif 000014
【図１３】
2010112091.tif 000015